(57)【要約】【課題】破損したスレート屋根材の補修において、施工が簡単で、作業中に傷や汚れが生ずることなく、漏水の心配のない差し込み固定カバー構造を提供する。【解決手段】既設のスレート屋根の上下に重なる既設の屋根材の隙間に屋根材を差し込んで既設の屋根材をカバーする屋根の差し込み固定カバー構造であって、屋根材は、板状本体の平坦な棟側の一端を差し込み部とし、差し込み部に対向する軒先側の他端を屹立片と折り返し片を連接させて断面コ字状の取り付け部とし、差し込み部は、下側の既設の屋根材とその上側の既設の屋根材との隙間に差し込まれて下側の既設の屋根材の上面をカバーするとともに、取り付け部の折り返し片を下側の既設の屋根材とさらにその下側の既設の屋根材との隙間に差し込まれて固定され、下側の既設の屋根材の上面をカバーする屋根材の差し込み部の端部は、上側の既設の屋根材の上面をカバーする屋根材の折り返し片の端部よりも棟側に位置する。【選択図】  図１
2020076317.tif 000002
【特許請求の範囲】
【請求項１】
既設のスレート屋根の上下に重なる既設の屋根材の隙間に屋根材を差し込んで既設の前記屋根材をカバーする屋根の差し込み固定カバー構造であって、
前記屋根材は、板状本体の平坦な棟側の一端を差し込み部とし、前記差し込み部に対向する軒先側の他端を屹立片と折り返し片を連接させて断面コ字状の取り付け部とし、
前記差し込み部は、下側の前記既設の屋根材とその上側の前記既設の屋根材との隙間に差し込まれて前記下側の既設の屋根材の上面をカバーするとともに、前記取り付け部の前記折り返し片を前記下側の既設の屋根材とさらにその下側の前記既設の屋根材との隙間に差し込まれて固定され、
前記下側の既設の屋根材の上面をカバーする前記屋根材の前記差し込み部の端部は、前記上側の既設の屋根材の上面をカバーする前記屋根材の前記折り返し片の端部よりも棟側に位置することを特徴とする屋根の差し込み固定カバー構造。
【請求項２】
前記折り返し片は、平坦であり、前記板状本体から離れる方向に開拡し、
前記下側の既設の屋根材の上面をカバーする前記屋根材の前記差し込み部は、前記上側の既設の屋根材の上面をカバーする前記屋根材の前記折り返し片の弾発力により、前記下側の既設の屋根材側に押される、ことを特徴とする請求項１に記載の差し込み固定カバー構造。
【請求項３】
前記屋根材は、前記既設の屋根材に貼着剤で貼り付け固定されることを特徴とする請求項１または２に記載の差し込み固定カバー構造。
【請求項４】
既設のスレート屋根の上下に重なる既設の屋根材の隙間に屋根材を差し込んで既設の前記屋根材をカバーする屋根の差し込み固定カバー工法であって、
前記屋根材として、板状本体の平坦な棟側の一端を差し込み部とし、前記差し込み部に対向する軒先側の他端を屹立片と折り返し片を連接させて断面コ字状の取り付け部とした屋根材を用い、
前記差し込み部を下側の前記既設の屋根材とその上側の前記既設の屋根材との隙間に差し込んで前記下側の既設の屋根材の上面をカバーするとともに、前記取り付け部の前記折り返し片を前記下側の既設の屋根材とさらにその下側の前記既設の屋根材との隙間に差し込んで固定し、
前記下側の既設の屋根材の上面をカバーする前記屋根材の前記差し込み部の端部は、前記上側の既設の屋根材の上面をカバーする前記屋根材の前記折り返し片の端部よりも棟側に位置することを特徴とする屋根の差し込み固定カバー工法。
【請求項５】
前記屋根材は、棟側から軒先側の方向に葺かれる、請求項４に記載の差し込み固定カバー工法。
【発明の詳細な説明】
【技術分野】
【０００１】
本発明は既設のスレート屋根等の屋根をカバーして補修するための屋根の差し込み固定カバー構造および工法に関する。
【背景技術】
【０００２】
従来より、意匠性に優れ、耐久性や耐火性、耐腐食性が高いことから、スレート屋根材を用い、これを横一文字葺きなどの横葺きにしたスレート屋根が施工されている。しかしながら、アスベストの使用規制から補強材としてのアスベストを使用できないためスレート屋根材の強度が不足し、経年使用によりスレート屋根材が破損して水漏れを起こしてしまうという問題が生じている。
そのような問題を解決するために、既設の屋根材をそのまま残して、その上に新たなる屋根を重ねて葺くという補修方法（特許文献１）が提案されている。
【先行技術文献】
【特許文献】
【０００３】
【特許文献１】特許第３３７７３７３号公報
【発明の概要】
【発明が解決しようとする課題】
【０００４】
前記従来の補修方法はカバー工法とも呼ばれるが、カバー工法の場合、図６に示すように、下地となる既設の屋根材１０に釘１２を打ち付けて補修用の屋根材１１を固定していたため、施工が面倒で、その釘１２の周りから漏水が生じることが指摘されていた。また、図７に示すように、従来の補修方法では既設の屋根材の軒先側Ｘから棟側Ｙの方向に補修用の屋根材を葺いていく必要があり、作業員が補修済みの屋根材の上に登りながら作業をすることとなり、作業員の足跡による汚れや傷が新たに生ずることがあった。
そこで、施工が簡単で、漏水の心配もなく、作業中に傷や汚れが生ずることないカバー工法の提供が望まれている。
【課題を解決するための手段】
【０００５】
本発明者はかかる課題を解決するべく、既設の屋根材の上下に重なる屋根材の隙間を利用して、この隙間に新たな屋根材を差し込み、固定することにより、簡単に既設の屋根材の上面に新たな屋根材をカバーして補修できることを知見した。
本発明の屋根の差し込み固定カバー構造およびその工法はかかる知見に基づきなされたもので、本発明の差し込み固定カバー構造は、既設のスレート屋根の上下に重なる既設の屋根材の隙間に屋根材を差し込んで既設の前記屋根材をカバーする屋根の差し込み固定カバー構造であって、前記屋根材は、板状本体の平坦な棟側の一端を差し込み部とし、前記差し込み部に対向する軒先側の他端を屹立片と折り返し片を連接させて断面コ字状の取り付け部とし、前記差し込み部は、下側の前記既設の屋根材とその上側の前記既設の屋根材との隙間に差し込まれて前記下側の既設の屋根材の上面をカバーするとともに、前記取り付け部の前記折り返し片を前記下側の既設の屋根材とさらにその下側の前記既設の屋根材との隙間に差し込まれて固定され、前記下側の既設の屋根材の上面をカバーする前記屋根材の前記差し込み部の端部は、前記上側の既設の屋根材の上面をカバーする前記屋根材の前記折り返し片の端部よりも棟側に位置することを特徴とする。
また、本発明の差し込み固定カバー工法は、既設のスレート屋根の上下に重なる既設の屋根材の隙間に屋根材を差し込んで既設の前記屋根材をカバーする屋根の差し込み固定カバー工法であって、前記屋根材として、板状本体の平坦な棟側の一端を差し込み部とし、前記差し込み部に対向する軒先側の他端を屹立片と折り返し片を連接させて断面コ字状の取り付け部とした屋根材を用い、前記差し込み部を下側の前記既設の屋根材とその上側の前記既設の屋根材との隙間に差し込んで前記下側の既設の屋根材の上面をカバーするとともに、前記取り付け部の前記折り返し片を前記下側の既設の屋根材とさらにその下側の前記既設の屋根材との隙間に差し込んで固定し、前記下側の既設の屋根材の上面をカバーする前記屋根材の前記差し込み部の端部は、前記上側の既設の屋根材の上面をカバーする前記屋根材の前記折り返し片の端部よりも棟側に位置することを特徴とする。
【発明の効果】
【０００６】
本発明の屋根の差し込み固定カバー構造およびその工法は、差し込み屋根材を既設の屋根材の隙間に差し込むだけでスレート屋根の補修ができることから、作業において特殊技能を必要とせず、作業時間も短縮できる。
また、従来の方法とは異なり屋根の棟側から軒先側へ順に補修していくことが可能となり、作業員が補修後の屋根に登らずに作業を行うことができるため、補修後の屋根材に傷や汚れがつくことを防止できる。
また、釘を使用しないでも施工できるために釘周りからの漏水の心配がない。
また、差し込み屋根材の板状本体とこれに屹立する屹立片と折り返し辺とで断面をコ字状にしているため、上下に重なる屋根材の隙間から毛細管現象により雨水が引き込まれても、折り返し辺の先端で水が止まり、奥まで雨水が侵入することを防止できる。
また、前記差し込み屋根材を金属板で構成すれば、現場で自在に折り曲げ加工ができ、補修対象となる屋根材の大きさに合わせて切断するといった作業が可能となり、多種多様なスレート屋根の補修に利用できる。
また、前記差し込み屋根材の取り付け部の折り返し片を前記板状本体から離れる方向に開拡させれば、既設の屋根材の隙間に差し込んだ際に強固に密着し、外れにくくなる。
また、前記差し込み屋根材の屹立片に水抜け孔を形成すれば、屋根材の隙間から万一雨水が引き込まれ侵入したとしても、水抜け孔から水抜きがなされるため、長期間水が溜まることによる屋根材の腐食を防止できる。
【図面の簡単な説明】
【０００７】
【図１】差し込み屋根材の一実施形態の斜視図
【図２】差し込み屋根材の他の実施形態の端面図
【図３】差し込み屋根材の更なる他の実施形態の正面図
【図４】差し込みカバー工法の施工状態を示す説明断面図
【図５】棟仕上げ部における本発明の差し込みカバー工法の施工状態を示す説明断面図
【図６】従来のスレート屋根の補修方法を示す説明断面図
【図７】従来のスレート屋根の補修方法を示す説明斜視図
【発明を実施するための形態】
【０００８】
図１は差し込み屋根材１の一実施形態の斜視図を示したもので、カラー鉄板からなる長方形状の板状本体２の一端側を差し込み部３とし、該差し込み部３に対向する他端側に屹立片４と折り返し片５を連接させて断面コ字状の取り付け部６を形成するようにしたものである。本実施形態では、板状本体２の長辺が９０７ｍｍ、短辺が２３０ｍｍ、屹立片４の高さが６ｍｍ、折り返し辺５の幅が３０ｍｍに加工されている。
【０００９】
図２は差し込み屋根材の他の実施形態の端面図を示したもので、本実施形態のものでは、折り返し片５を板状本体２から離れる方向に開拡させており、屹立片４と折り返し辺５の折り曲げ角度は９５度に加工されている。
このように、前記差し込み屋根材１の取り付け部６の折り返し片５を前記板状本体２から離れる方向に開拡させれば、既設の屋根材の隙間に差し込んだ際に板バネの如く弾発力が働き既設の屋根材に強固に密着し、外れにくくなる。
【００１０】
図３は差し込み屋根材の更なる他の実施形態の正面図を示したもので、取り付け部６の屹立片４の両端及び中心部に、差し込み屋根材に侵入した雨水を外部に排出するための水抜け孔７が設けられている。
【００１１】
図４は、差し込み固定カバー工法の施工状態を示したものである。既設のスレート屋根の屋根材１０を高圧洗浄した後にシリコン等の貼着剤を塗布し、差し込み屋根材１の差し込み部３を既設の屋根材１０とその上側に重なる屋根材１０との隙間に差し込み、さらに、前記既設の屋根材１０の下側に重なる屋根材１０との隙間に差し込み屋根材１の折り返し片５を差し込み固定する。このような差し込み作業を既設の屋根材１０に対して繰り返し、全ての既設の屋根材１０を差し込み屋根材１でカバーすることで、差し込み固定カバー工法が施工される。差し込み屋根材１は、取り付け部６を断面をコ字状にしているため、上下に重なる屋根材の隙間から毛細管現象により雨水が引き込まれても、折り返し辺の先端で水が止まり、奥まで雨水が侵入することを防止できる。
【００１２】
尚、最も軒先側Ｘに位置する屋根材１０の補修においては、差し込み屋根材１の折り返し片５を、前記既設の屋根材１０とその下に設置されているスターター１４との隙間に差し込み固定する。尚、図中１３は野地板を示す。
【００１３】
また、図５は、スレート屋根の棟側Ｙの棟仕上げ部における施工状態を示したものである。棟側Ｙの棟仕上げ部においては、差し込み屋根材１の差し込み部３を棟包み板金１５と既設の屋根材１０との隙間に差し込み、さらに、前記既設の屋根材１０の下側に重なる屋根材１０との隙間に折り返し片５を差し込み固定する。尚、図中１６は棟仕上げ部の貫板を示す。
【００１４】
尚、前記の通り、従来の補修方法では既設の屋根材の軒先側Ｘから棟側Ｙの方向に補修用の屋根材を葺いていく必要があり、作業員が補修済みの屋根材の上に登りながら作業をすることとなり、作業員の足跡による汚れや傷が新たに生ずることがあったが、屋根の差し込み固定カバー工法においては、前記した通り、既設の屋根材１０に対して、差し込み屋根材を差し込むだけなので、棟側Ｙから軒先側Ｘへの施工も可能であり、前記従来の補修方法の不都合をなくすことができる。
【００１５】
尚、既設のスレート屋根においては、屋根材の隙間に雪止め金具が差し込まれている場合がある。この場合、従来のカバー工法による補修の際には雪止め金具を取り外してから補修を行う必要があったが、差し込み固定カバー工法によれば雪止め金具を持ち上げて雪止め金具の下から差し込み屋根材を差し込むことができる。従って、雪止め金具を取り外す必要がなくなり、作業時間を短縮できる。
【００１６】
以上では差し込み固定カバー工法並びに差し込み屋根材の実施形態を添付図面に基づき説明したが、本発明は前記図示した実施の形態に限定されるものではない。
【００１７】
差し込み屋根材の素材としては、前記実施形態ではカラー鉄板を用いた例で説明したが、ガルバニウム鋼板等の金属板やポリカーボネートＦＲＰ等の合成樹脂板等各種素材の屋根材を用いることができる。
【産業上の利用可能性】
【００１８】
差し込み固定カバー工法並びに差し込み屋根材は、スレート屋根の補修において熟練した技術を要することなく簡単に施工することを可能とするものであり、産業上有用である。
【符号の説明】
【００１９】
１  差し込み屋根材
２  板状本体
３  差し込み部
４  屹立片
５  折り返し片
６  取り付け部
７  水抜け孔
１０  屋根材
１１  従来の補修用屋根材
１２  釘
１３  野地板
１４  スターター
１５  棟包み板金
１６  貫板
【図１】
2020076317.tif 000003
【図２】
2020076317.tif 000004
【図３】
2020076317.tif 000005
【図４】
2020076317.tif 000006
【図５】
2020076317.tif 000007
【図６】
2020076317.tif 000008
【図７】
2020076317.tif 000009